(57)【特許請求の範囲】
【請求項１】
屋根勾配を異にする屋根端部設置の樋枠に対して支柱に添設又は支柱内に設置の縦樋を常時接続可能とした縦樋接続構造であって、
平坦な底壁を有する上記樋枠の下面に配置して該樋枠交差方向に向けた突出又は凹陥の円弧面と、該円弧面に配置され、上記樋枠の水抜孔に対応する通水孔と、が設けられ、前記樋枠とは別部品の固定台座と、
該固定台座の下面に配置して該固定台座の円弧面に回動対接自在とした凹陥又は突出の円弧面と、該円弧面に配置され、上記固定台座の通水孔に対する下向き突出の通水筒と、が設けられたアタッチメントと、
該アタッチメントの通水筒を被嵌するように接続して上記樋枠との間を連結したドレンエルボと、を備え、
前記固定台座が、前記樋枠の水抜孔が設けられた長手方向の端部にのみ配置されている
ことを特徴とする縦樋接続構造。
【請求項２】
上記屋外構築物を、屋根上端を同高として該屋根上端からの屋根面を異長又は異幅として異なる屋根勾配を有する同種の複数又は多数とし、その各屋根下端に上記樋枠を共通使用してなることを特徴とする請求項１に記載の屋外構築物の縦樋接続構造。
【請求項３】
上記固定台座とアタッチメントに、該固定台座の下面に対するアタッチメントの配置による複数の共通位置にそれぞれネジ透孔を配置して、該固定台座とアタッチメントを樋枠に同時にネジ止め自在としてなることを特徴とする請求項１又は２に記載の屋外構築物の縦樋接続構造。
【請求項４】
上記固定台座、アタッチメント及びドレンエルボを、合成樹脂又は金属の成形部材によって形成してなることを特徴とする請求項１、２又は３に記載の屋外構築物の縦樋接続構造。
【請求項５】
上記固定台座をブロック状乃至ボックス状に形成してなることを特徴とする請求項１、２、３又は４に記載の屋外構築物の縦樋接続構造。
【請求項６】
上記アタッチメントを側面Ｔ字状に形成してなることを特徴とする請求項１、２、３、４又は５に記載の屋外構築物の縦樋接続構造。
【発明の詳細な説明】
【技術分野】
【０００１】
本発明は、カーポート、テラス等の屋外構築物における異なる屋根勾配に追随して屋根設置の樋枠に縦樋を接続し得るように用いる屋外構築物の縦樋接続構造に関する。
【背景技術】
【０００２】
例えばカーポートには、屋根の勾配下位側の前後又は左右一方の枠を樋枠としてこれに、支柱添設又は支柱内に設置の縦樋を接続して、屋根の雨水を縦樋に集めて該縦樋に流下するものとされ、このとき該縦樋と樋枠の接続は、上記樋枠の下面に配置した水平基部と該水平基部に上記樋枠の水抜孔に対応する下向き突出の通水筒を配置したアタッチメントと、該アタッチメントの通水筒に接続して上記樋枠との間を連結したドレンエルボとを備えたものとされている。
【先行技術文献】
【非特許文献】
【０００３】
【非特許文献１】東洋エクステリア株式会社  ２００９年５月発行  「ライブポートII  ３０００（レギュラー）  取付説明書」１５頁「６  竪樋の取付け」
【発明の概要】
【発明が解決しようとする課題】
【０００４】
この場合、樋枠に対して支柱に添設又は支柱内に設置の縦樋を固定して、屋根の雨水を樋枠を介して縦樋に誘導してその流下を行うことができるが、例えば、屋根を異長乃至異幅とし又は屋根勾配を可変として、屋根勾配を異にするカーポートやテラスの如き屋外構築物にこれを適用すると、屋根勾配の下端側に位置する樋枠の高さが変化するために、その水抜孔と支柱、即ち、これに配置した縦樋との位置関係が変化して、該樋枠の水抜孔と縦樋の接続が不可能となるか、水抜孔とアタッチメントの通水筒の位置がずれることによって漏水を招くといった接続不良を招くことなる。従って、このように屋根勾配を異にする屋外構築物に縦樋を設置するには、例えば、屋根勾配毎に複数乃至多数のアタッチメントを用意し、これを選択的に用いて、縦樋との接続を行うことが必要となり、部材数の増加や現場作業の煩雑化を招く可能性がある。
【０００５】
本発明はかかる事情に鑑みてなされたもので、その解決課題とするところは、屋根勾配を異にする屋根端部設置の樋枠に対して支柱に添設又は支柱内に設置の縦樋を常時接続可能とした屋外構築物の縦樋接続構造を提供するにある。
【課題を解決するための手段】
【０００６】
上記課題に沿って本発明は、屋根勾配を異にする屋根端部設置の樋枠に対して支柱に添設又は支柱内に設置の縦樋を常時接続可能とした縦樋接続構造であって、平坦な底壁を有する上記樋枠の下面に配置して該樋枠交差方向に向けた突出又は凹陥の円弧面と、該円弧面に配置され、上記樋枠の水抜孔に対応する通水孔と、が設けられ、前記樋枠とは別部品の固定台座と、該固定台座の下面に配置して該固定台座の円弧面に回動対接自在とした凹陥又は突出の円弧面と、該円弧面に配置され、上記固定台座の通水孔に対する下向き突出の通水筒と、が設けられたアタッチメントと、該アタッチメントの通水筒を被嵌するように接続して上記樋枠との間を連結したドレンエルボと、を備え、前記固定台座が、前記樋枠の水抜孔が設けられた長手方向の端部にのみ配置されていることを特徴とする縦樋接続構造としたものである。
【０００７】
請求項２に記載の発明は、上記に加えて、上記屋外構築物を、カーポートのように独立構造物とし、また、テラスのように建物付設構造物のように、該縦樋接続構造を適用するに好ましい形態のものとするように、これを、上記屋外構築物を、屋根上端を同高として該屋根上端からの屋根面を異長又は異幅として異なる屋根勾配を有する同種の複数又は多数とし、その各屋根下端に上記樋枠を共通使用してなることを特徴とする請求項１に記載の屋外構築物の縦樋接続構造としたものである。
【０００８】
請求項３に記載の発明は、同じく上記に加えて、上記固定台座とアタッチメントを、上記樋枠に対して同時にネジ止めして、該樋枠に対するこれらの配置を簡易且つ確実になし得るものとするように、これを、上記固定台座とアタッチメントに、該固定台座の下面に対するアタッチメントの配置による複数の共通位置にそれぞれネジ透孔を配置して、該固定台座とアタッチメントを樋枠に同時にネジ止め自在としてなることを特徴とする請求項１又は２に記載の屋外構築物の縦樋接続構造としたものである。
【０００９】
請求項４に記載の発明は、同じく上記に加えて、上記固定台座、アタッチメント及びドレンエルボの精度を良好に確保して、相互の接続を確実になし得るものとするように、これを、上記固定台座、アタッチメント及びドレンエルボを、合成樹脂又は金属の成形部材によって形成してなることを特徴とする請求項１、２又は３に記載の屋外構築物の縦樋接続構造としたものである。
【００１０】
請求項５に記載の発明は、同じく上記に加えて、上記固定台座を、上記円弧面と通水孔を有するに好適な形状のものとするように、これを、上記固定台座をブロック状乃至ボックス状に形成してなることを特徴とする請求項１、２、３又は４に記載の屋外構築物の縦樋接続構造としたものである。
【００１１】
請求項６に記載の発明は、同じく上記に加えて、上記アタッチメントの円弧面と通水筒の配置を、縦樋との接続を外観よくなし得るものとするように、これを、上記アタッチメントを側面Ｔ字状に形成してなることを特徴とする請求項１、２、３、４又は５に記載の屋外構築物の縦樋接続構造としたものである。
【００１２】
本発明は、これらをそれぞれ発明の要旨として上記課題解決の手段としたものである。
【発明の効果】
【００１３】
本発明は以上のとおりに構成したから、請求項１に記載の発明は、樋枠とアタッチメントとの間に固定台座を介設して、該固定台座の下面を円弧面とする一方、アタッチメントの上面を、該固定台座の上記円弧面に回動自在に対接する円弧面とすることによって、樋枠に対するアタッチメントの位置を可変としてその調整を自在とし、該可変のアタッチメントに対して、定位置に配置した支柱に添設し又は内蔵した縦樋と、該アタッチメントに接続したドレンエルボの距離を常時一定として、上記屋根勾配を異にする屋根端部設置の樋枠に対して支柱添設又は支柱内設置の縦樋を接続可能とした屋外構築物の縦樋接続構造を提供することができる。
【００１４】
請求項２に記載の発明は、上記に加えて、上記屋外構築物を、カーポートのように独立構造物とし、また、テラスのように建物付設構造物のように、該縦樋接続構造を適用するに好ましい形態のものとすることができる。
【００１５】
請求項３に記載の発明は、同じく上記に加えて、上記固定台座とアタッチメントを、上記樋枠に対して同時にネジ止めして、該樋枠に対するこれらの配置を簡易且つ確実になし得るものとすることができる。
【００１６】
請求項４に記載の発明は、同じく上記に加えて、上記固定台座、アタッチメント及びドレンエルボの精度を良好に確保して、相互の接続を確実になし得るものとすることができる。
【００１７】
請求項５に記載の発明は、同じく上記に加えて、上記固定台座を、上記円弧面と通水孔を有するに好適な形状のものとすることができる。
【００１８】
請求項６に記載の発明は、同じく上記に加えて、上記アタッチメントの円弧面と通水筒の配置を、縦樋との接続を外観よくなし得るものとすることができる。
【図面の簡単な説明】
【００１９】
【図１】カーポートの側面図である。
【図２】屋根勾配４°のときの樋枠と縦樋の関係を示す縦断面図である。
【図３】屋根勾配８°のときの樋枠と縦樋の関係を示す縦断面図である。
【図４】固定台座の上面側の斜視図である。
【図５】固定台座の下面側の斜視図である。
【図６】固定台座のＡ‐Ａ線縦断面図である。
【図７】固定台座のＢ‐Ｂ線縦断面図である。
【図８】アタッチメントの上面側の斜視図である。
【図９】アタッチメントの下面側の斜視図である。
【図１０】アタッチメントのＡ‐Ａ線縦断面図である。
【図１１】アタッチメントのＢ‐Ｂ線縦断面図である。
【図１２】ドレンエルボの側面図である。
【発明を実施するための形態】
【００２０】
以下図面の例に従って本発明を更に具体的に説明すれば、Ａは、カーポートであり、該カーポートＡは、アルミ押出材を加工した部材によって形成し、支柱１によって屋根２を支持して屋外に設置した屋外構築物としてあり、本例にあって該カーポートＡは、屋根勾配を異にする屋根端部設置の樋枠３に対して支柱に添設又は支柱内に設置の縦樋７を常時接続可能とした縦樋接続構造によって、樋枠３に縦樋７を接続してあり、このとき、本例のカーポートＡは、屋根２上端を同高として該屋根２上端からの屋根面を異長又は異幅として異なる屋根勾配を有する同種の複数又は多数とし、その各屋根２下端に上記樋枠３を共通使用したものとしてあり、本例のカーポートＡは、屋根２を異長とした以外、共通の部材を用いることによって屋根勾配を異にする複数又は多数、本例にあっては、例えば、図２に示すように屋根勾配を４°とし、また、図３に示すように屋根勾配を８°とした複数のものとしてあり、このとき、該カーポートＡは、例えば、その屋根２下端の樋枠３を正面に位置するように正面に向けて設置することによって、該カーポートＡを前傾して設置するようにしたものとしてある。
【００２１】
樋枠３は、底壁３１を平坦とし、該底壁３１の前後に起立壁３２を配置した前傾の断面Ｕ字状としてあり、上記底壁３１の長手方向両端に、例えば、数ｃｍ径の円形の図示省略の水抜孔を配置するとともに、カーポートＡ設置現場の状況に応じて、その片側一方の水抜孔に上記縦樋３を接続し、片側他方の水抜孔を図示省略の閉塞部材によって閉塞したものとしてある。
【００２２】
樋枠３に対する縦樋接続構造は、固定台座４、アタッチメント５及びドレンエルボ６を備えて、上記樋枠３に縦樋７を接続してあり、固定台座４は、上記樋枠３の下面に配置して該樋枠交差方向に向けた突出又は凹陥の円弧面４１と該円弧面４１に上記樋枠３の水抜孔に対応する通水孔４３を配置したものとし、アタッチメント５は、該固定台座４の下面に配置して該固定台座４の円弧面４１に回動対接自在とした凹陥又は突出の円弧面５１と該円弧面５１に上記固定台座４の通水孔４３に対応する下向き突出の通水筒５２を配置したものとし、また、ドレンエルボ６は、該アタッチメント５の通水筒５２に接続して上記樋枠３との間を連結したものとしてある。
【００２３】
固定台座４は、合成樹脂又は金属の成形部材、本例にあっては合成樹脂の成形部材によって、ブロック状乃至ボックス状、本例にあっては部分的に肉抜きしたボックス状に形成したものとしてあり、本例の固定台座４は、例えば、長さを１０ｃｍ程度、幅を５ｃｍ程度とした平面矩形にして、上端外周を、上記樋枠３の平坦な底壁３１に対接するように平坦な矩形枠をなす突出フレームとする一方、下面を、樋枠交差方向、即ち、その幅方向に向けて、例えば４ｃｍ程度の半径で湾曲することによって、該下面を下向きに突出した円弧面４１としてある。このとき、該円弧面４１の面内を平面矩形に刳り貫き状として部分的に凹陥することによって、該円弧面４１を外周部分に残すように形成配置したものとしてあり、該円弧面４１の長手方向中央部にしてその刳り貫き部位に、例えば３ｃｍ程度の径の通水孔４３とその両側の２ヶ所の筒状としたネジ透孔４４を下方に突出するように配置してある。
【００２４】
アタッチメント５は、合成樹脂又は金属の成形部材、本例にあっては同じく合成樹脂の成形部材によって側面Ｔ字状に形成してあり、本例のアタッチメント５は、例えば、長さを１０ｃｍ程度、幅を４ｃｍ程度とした平面矩形にして、樋枠交差方向、即ち、その幅方向に向けて、上記固定台座４の円弧面４１と同一曲率半径をなすように、例えば４ｃｍ程度の半径でプレートを湾曲することによって、上面を上向きに凹陥した円弧面５１としてあり、これによって上記固定台座４の突出の円弧面４１に対して、該凹陥の円弧面５１を回動対接自在としてある。このとき、該アタッチメント５は、円弧面５１下面の長手方向中央部に、例えば４ｃｍ程度の外径にして長さを２ｃｍ程度とした通水筒５２を下方に突出するように配置するとともにその両側に幅方向に向けて長孔としたネジ透孔５３を配置してある。このとき、上記通水筒５２は、その内径を上記固定台座４の通水孔４３と同等の３ｃｍ程度とし、その両側の上記ネジ透孔５３は、上記固定台座４の下面に対して該アタッチメント５を配置したとき、相互に一致するように共通位置に２ヶ所配置してあり、これによって上記固定台座４とアタッチメント５を樋枠３に同時にネジ止め自在としてあり、また、上記通水筒５２は、その外形を下方に向けて縮小するように、例えば２段の段状に形成して、後述のドレンエルボ６との接続を容易になし得るようにしてある。
【００２５】
ドレンエルボ６は、合成樹脂又は金属の成形部材、本例にあっては同じく合成樹脂の成形部材によって側面倒Ｔ字状に形成してあり、本例のドレンエルボ６は長さを７ｃｍ程度の筒体として、その上下中間位置に横向きに突出した２ｃｍ程度の長さの接続筒６１を備えるとともに下端に筒体を塞ぐキャップ６２を螺着固定したものとしてあり、このときドレンエルボ６及びその接続筒６１の内径は、これを、上記固定台座４の通水孔４３及びアタッチメント５の通水筒５２より径大の４ｃｍ程度としてある。
【００２６】
縦樋７は、本例にあって上記カーポートＡの支柱１に添設したものとしてあり、支柱１上方で上位エルボを用いて樋枠３側に屈曲して、その先端側に設置して縦樋７の接続端をなす縦樋接続部７１を、上記ドレンエルボ６に至るようにしてあり、このとき該縦樋７の内径は、同じく４ｃｍ程度としてあり、また、下端は支柱１下方で支柱１外側に向けて雨水を流下するように下位エルボを接続配置してある。
【００２７】
このように形成した固定台座４、アタッチメント５及びドレンエルボ６を用いた、樋枠３と縦樋７の接続は、例えば、固定台座４とアタッチメント５の円弧面４１、５１を重ねるように配置して、固定台座４の平坦な矩形枠とした上面を樋枠３の底壁３１下面に対接し、双方のネジ透孔４４、５３にアタッチメント５側から、図示省略のネジを挿入して、固定台座４とアタッチメント５を樋枠３の底壁３１下面にネジ止めし、該ネジ止めしたアタッチメント５の通水筒５２を、ドレンエルボの筒体によって被嵌するように該アタッチメント５にドレンエルボ６を接続し、該ドレンエルボ６の上記接続筒６１に、縦樋７に設置して該ドレンエルボ６側に突出した縦樋接続部７１を、同じく被嵌するように接続することによって、これを行うものとしてある。
【００２８】
このとき図２の屋根勾配を４°としたカーポートＡと、図３の屋根勾配を８°としたカーポートＡでは、樋枠３の底壁３１に固定した固定台座４に対して、アタッチメント５は、４°のカーポートＡにあっては固定台座４における円弧面４１のやや内側に先端が位置するように配置し、８°のカーポートＡにあっては固定台座４における円弧面４１の外側に先端が位置するように、その位置関係をずらして、即ち、アタッチメント５の樋枠３の底壁３１に対する設置角度を回動変化して配置することによって、該アタッチメント５に固定したドレンエルボ６と支柱１に添設した縦樋７の距離、本例にあっては上記縦樋接続部７１との距離を常時一定とすることができ、これらの屋根勾配の相違に拘らず、いずれの場合も、その接続を行うことができる。このとき、上記曲率半径を４ｃｍ程度とした固定台座４の円弧面４１に対するアタッチメント５の内外方向の位置ずれによって、ドレンエルボ６の接続筒６１は、１〜２ｍｍ程度上下に移動することがあるが、必要に応じて縦樋７について、ドレンエルボとの接続端、即ち、縦樋接続部の高さの位置調整を施すようにすればよい。
【００２９】
図中４２は、固定台座４の樋枠３側に傾斜配置して該樋枠３の後端に係合することによって縦樋３との位置決めを行うようにした位置決め係合部を示す。
【００３０】
図示した例は以上のとおりとしたが、固定台座の円弧面を凹陥したものとするとともにアタッチメントの円弧面を突出したものとすること、固定台座とアタッチメントを樋枠に対して個別にネジ止めしたものとすること、固定台座をブロック状に形成したものとすること、屋外構築物をテラス、サンルーム、勉強部屋等の独立構造物や建物付設構造物とすること、樋枠を屋根の側面に位置するように配置すること等を含めて、本発明の実施に当って、屋外構築物、屋根、支柱、樋枠、縦樋、固定台座、その通水孔、アタッチメント、通水筒、ドレンエルボ等の各具体的形状、構造、材質、これらの関係、これらに対する付加等は、上記発明の要旨に反しない限り様々な形態のものとすることができる。
【符号の説明】
【００３１】
Ａ  カーポート
１  支柱
２  屋根
３  樋枠
３１  底壁
３２  起立壁
４  固定台座
４１  円弧面
４２  位置決め係合部
４３  通水孔
４４  ネジ透孔
５  アタッチメント
５１  円弧面
５２  通水筒
５３  ネジ透孔
６  ドレンエルボ
６１  接続筒
６２  キャップ
７  縦樋
７１  縦樋接続部
【図１】
0005596362.tif 000002
【図２】
0005596362.tif 000003
【図３】
0005596362.tif 000004
【図４】
0005596362.tif 000005
【図５】
0005596362.tif 000006
【図６】
0005596362.tif 000007
【図７】
0005596362.tif 000008
【図８】
0005596362.tif 000009
【図９】
0005596362.tif 000010
【図１０】
0005596362.tif 000011
【図１１】
0005596362.tif 000012
【図１２】
0005596362.tif 000013